(57)【要約】      （修正有）【課題】壁装用コーナー材を壁の角部に対して簡単かつ正確に位置決めすることが可能で、かつ角部の塗装やクロスが剥がれた場合でも美観性を損なうことがない壁装用コーナー材を提供する。【解決手段】壁材の縁面に添設される一対の取付部１１と、前記壁材の角部に取り付けられ透明な材質で形成された定規部１２を有する壁装用コーナー材１０において、前記壁装用コーナー材１０の取付面に備えられた接着剤層１６と、前記接着剤層１６に着脱自在に設けられた剥離紙１７ａ、１７ｂを備えたことを特徴とする。【選択図】図４
0003202989.tif 000002
【実用新案登録請求の範囲】
【請求項１】
壁材の縁面に添設される一対の取付部と、前記壁材の角部に取り付けられ透明性を有する材質で形成された定規部を有する壁装用コーナー材において、前記壁装用コーナー材の取付面に備えられた接着剤層と、前記接着剤層に着脱自在に設けられた剥離紙を備えたことを特徴とする壁装用コーナー材。
【請求項２】
前記剥離紙は、前記壁装用コーナー材の中心位置において切れ目やミシン目により分割可能な第１の剥離紙と第２の剥離紙が設けられていることを特徴とする請求項１記載の壁装用コーナー材。
【請求項３】
前記剥離紙は、前記壁装用コーナー材の中心位置周辺で重ね合わされた第１の剥離紙と第２の剥離紙が設けられていることを特徴とする請求項１記載の壁装用コーナー材。
【請求項４】
前記壁装用コーナー材は、前記第１の剥離紙を前記接着剤層から剥離させ、前記第２の剥離紙の端部と前記壁材の角部とを合わせることにより、前記定規部を介して前記第２の剥離紙の端部と前記壁材の角部とが視認可能であることを特徴とする請求項２または３記載の壁装用コーナー材。
【請求項５】
前記定規部は、前記壁材の角部に沿って折り曲げ易くするために軟質の透明な材質であることを特徴とする請求項１から４のいずれか一項記載の壁装用コーナー材。
【請求項６】
前記取付部には透明性を有する目視部が設けられ、前記目視部を介して前記壁材の接合箇所を視認可能であることを特徴とする請求項１から５のいずれか一項記載の壁装用コーナー材。
【考案の詳細な説明】
【技術分野】
【０００１】
本考案は、クロスなどの壁装材を壁面に貼り付けて仕上げるクロス仕上げ工事において、壁の角部を綺麗仕上げる目的で壁下地に貼り付けて用いる場合や、左官仕上げ工事において、塗り壁の角部を綺麗に仕上げる目的、また、端部起し等、壁の端部を綺麗に仕上げる目的でモルタル等の塗り壁装材に埋め込んで用いる壁装用コーナー材（壁装用コーナー材）に関する。
【背景技術】
【０００２】
この種の壁装用コーナー材は、建造物の出隅壁を形成する壁角部縁面に添設される取付部と、壁角部から張り出される円弧形状の定規部を有し、前記定規部の頭頂箇所を規準にしてモルタル等の塗り壁材を塗布することにより厚み出しと角出しを行ない、前記塗り壁材の乾燥固化後、その表面に吹き付け塗装を行なっている。上記頭頂箇所の表面（頭頂面）は上記塗布された塗り壁材表面より露出されて角出しと角部の補強とが図られ、露出された前記頭頂箇所の表面は吹き付け塗装により塗り壁材表面から連続する塗膜で覆われ隠蔽される。前記定規部は、張り出し、突出した形状のものもある。
【０００３】
従来技術として、壁の角部に円弧形状を形成する壁装用コーナー材として次のものが開示されている。
特許文献１には、丸みを帯びた美麗なものとするためのコーナー材に関するもので、幅方向の中央部に縦方向の中心線に沿って折り曲げ可能な蝶番部を設け、該蝶番部の左右両側にそれぞれ所定幅のプレートを一体に設けたコーナー材であって、前記蝶番部には、軟質の筋と硬質の筋とが複数条交互に形成されていることを特徴とするコーナー材（請求項１）や、左右のプレートの裏面側に接着剤層が形成されているコーナー材が開示されている（請求項３）。
特許文献２には、壁下地などの出隅部や入隅部に所望の曲面を画一的に得られ、安全で美麗な外観に仕上げられるようにするものであり、隅角部に固定される長尺のコーナーテープ１１において、隅角に固定される直線状の隅角相当部１２と、隅角の両側に固定され複数の貫通穴３１を有する板状の平板部１３を幅方向に配設する。これら左右一対の平板部１３は隅角相当部１２に対して、隅角相当部１２および平板部１３よりも柔軟で変形容易な材料からなるヒンジ部１４で一体形成して、平板部１３同士が同一平面上に並んだ平らな形状とする。隅角相当部１２における固定時に表面側に現れる面に、平板部１３における固定時に表面側に現れる面よりも突出して幅方向に湾曲する外側Ｒ面部２１を形成する。
【先行技術文献】
【特許文献】
【０００４】
【特許文献１】特開２００８−０５７２４８号公報
【特許文献２】特開２０１５−１２４５９０号公報
【考案の概要】
【考案が解決しようとする課題】
【０００５】
ところで、壁装用コーナー材の前記蝶番部や前記ヒンジ部が円弧形状である場合、壁の角部が直角の形状であるものや面取りされている場合があるため、壁の角部に対して、正確に前記蝶番部や前記ヒンジ部を配置して壁装用コーナー材を取り付けることが困難で、壁の縁面の左右のうちのいずれかに傾いて取り付けられてしまうことが多い。そして、さらに壁装用コーナー材の取付部等に剥離紙付きの接着部材が貼着されているものでは（特許文献１の請求項３を参照）、壁装用コーナー材を壁の角部に対して位置決めしてからその状態を維持したまま剥離紙を剥がそうとすると、せっかく位置決めした壁装用コーナー材が移動してしまい、壁の角部に正確に円弧形状を形成することができなくなってしまう。
また壁の角部周辺に正確に位置決めするための罫線等の印を設けた壁装用コーナー材は、前記壁の角部と罫線等の印を重ね合わせて位置決めを行うものであるが、壁材上の塗装やクロスは、特に壁の角部において接触や衝突等によって剥がれ易いため、その際に壁装用コーナー材が表面に露出し、壁装用コーナー材の中心部近辺や角部に取り付ける箇所に罫線等の印が設けられていると、印が表面に露出し、美観性を損なう恐れがある。そのうえ、罫線等の印を壁装用コーナー材に設ける必要があるため、製造工程が増え、製造コストが高くなる可能性がある。
【０００６】
そこで本考案の目的は、壁装用コーナー材を壁の角部に対して簡単かつ正確に位置決めすることが可能で、かつ角部の塗装やクロスが剥がれた場合でも美観性を損なうことがない壁装用コーナー材を提供することを目的とする。
【課題を解決するための手段】
【０００７】
上述の問題点を解決するために、本考案者は、接着剤層に着脱自在に設けられた剥離紙を壁装用コーナー材の中心位置で分割し、前記剥離紙の端部を壁材の角部Ｐ１を合わせることで壁装用コーナー材を正確に位置決めすることを考案した。
具体的には、壁装用コーナー材を前記壁材の角部Ｐ１に取り付けた場合、壁装用コーナー材が角部Ｐ１に接触する定規部を透明な部材で形成し、かつ前記壁材の角部Ｐ１の位置に剥離紙の端部が合うようにすることで作業者が前記壁装用コーナー材を取り付けた状態でも前記角部を目視し、位置合わせすることができるようにしたものである。
また、本考案者は室内の壁や天井等に使用される建築材料であって塗装やクロス張り仕上げの下地材として使用されている壁材Ｍ（図１４、図１５）の厚みＭＴが通常９．５ｍｍもしくは１２．５ｍｍであることに着目し、前記壁材同士の接合箇所である接合線Ｓを基準として前記接合線を目視する、もしくは前記剥離紙の端部を合わせることによって、壁装用コーナー材を正確に位置決めすることを考案した。
具体的には、壁装用コーナー材を前記壁材の角部Ｐ１に取り付けた場合、壁装用コーナー材が前記接合線Ｓに接触する周辺を透明な部材で形成し前記接合線を目視する、もしくは前記接合線Ｓの位置に剥離紙の端部が合うようにすることで、作業者が前記壁装用コーナー材を取り付けた状態でも前記壁材の接合箇所を目視し、位置合わせすることができるようにしたものである。
【０００８】
本考案の壁装用コーナー材は、壁材の縁面に添設される一対の取付部と、前記壁材の角部に取り付けられ透明性を有する材質で形成された定規部を有する壁装用コーナー材において、前記壁装用コーナー材の取付面に備えられた接着剤層と、前記接着剤層に着脱自在に設けられた剥離紙を備えたことを特徴とする。
また本考案の壁装用コーナー材は、前記剥離紙は前記壁装用コーナー材の中心位置において切れ目やミシン目により分割可能な第１の剥離紙と第２の剥離紙が設けられていることを特徴とする。
本考案によれば、前記剥離紙が切り目によって分割されているため、簡単に剥離紙同士を分割して接着剤層から剥離することが可能となる。前記切り目は、直線状の切り目や点線状の切り目等、適宜選択可能である。ここで、第１の剥離紙と第２の剥離紙とは、色を異ならせたり、その厚さを異ならせることで、区別を明確にすることが好ましい。
本考案によれば、前記定規部が透明性を有する材質で形成され、かつ前記壁装用コーナー材の中心位置において分割された第１の剥離紙と第２の剥離紙が設けられているため、分割された前記第２の剥離紙の端部を前記定規部を通して確認し、壁材の角部と前記第２の剥離紙の端部を合わせることで位置合わせを行うことが可能で、簡単かつ正確に本考案の壁装用コーナー材を壁材の角部に取り付けることが可能となる。
【０００９】
また本考案の壁装用コーナー材は、前記壁装用コーナー材の中心位置周辺で重ね合わされた第１の剥離紙と第２の剥離紙が設けられていることを特徴とする。
本考案によれば、前記第１の剥離紙と前記第２の剥離紙が前記壁装用コーナー材の中心位置周辺で重ね合わされて、前記第１の剥離紙の端部が一部接着剤層から剥離された状態となっている。よって作業者が前記第１の剥離紙を前記接着剤層から剥離する際に、前記第１の剥離紙の端部をもって前記第１の剥離紙を剥がすことによって、簡単に接着剤層から剥離することが可能となり、作業性が向上する。
【００１０】
本考案の前記壁装用コーナー材は、前記第１の剥離紙を前記接着剤層から剥離させ、前記第２の剥離紙の端部と前記壁材の角部とを合わせることにより、前記定規部を介して前記第２の剥離紙の端部と前記壁材の角部とが視認可能であることを特徴とする。
本考案によれば、前記第１の剥離紙を前記接着剤層から剥離させ、その後、前記定規部を通して前記第２の剥離紙の端部と前記壁材の角部とを合わせることにより、前記壁装用コーナー材を正確に位置合わせすることが可能となる。ここで前記第２の剥離紙の端部と前記壁材の角部を合わせて前記壁装用コーナー材の位置合わせを行ったが、前記第２の剥離紙を前記接着剤層から剥離させ、その後、前記定規部を通して前記第１の剥離紙の端部と前記壁材の角部とを合わせることにより、位置合わせをしてもよい。
【００１１】
本考案の壁装用コーナー材は、前記定規部が前記壁材の角部に沿って折り曲げ易くするために軟質の透明な材質であることを特徴とする。
本考案によれば、前記定規部を軟質な材質とすることによって、前記定規部の中心位置Ｃを中心として簡単に折り曲げることが可能となり、仕上げ工事において前記壁装用コーナー材を扱いやすくなる。
【００１２】
本考案の壁装用コーナー材は、前記取付部には透明性を有する目視部が設けられ、前記目視部を介して前記壁材の接合箇所を視認可能であることを特徴とする。
本考案によれば前記目視部を介して壁材の接合箇所を視認可能であるため、前記角部での位置合わせだけでなく、前記壁材の前記接合箇所においても位置合わせが可能となる。
【考案の効果】
【００１３】
本考案によれば、前記定規部が透明性を有する材質で形成され、かつ前記壁装用コーナー材の中心位置において分割可能な第１の剥離紙と第２の剥離紙が設けられているため、分割された前記第２の剥離紙の端部を前記定規部を通して確認し、壁材の角部と前記第２の剥離紙の端部を合わせることで位置合わせを行うことが可能で、簡単かつ正確に本考案の壁装用コーナー材を壁材の角部に取り付けることが可能となる。
また本考案によれば、前記取付部には透明性を有する目視部が設けられ、前記剥離紙は、前記壁装用コーナー材の中心位置を０ｍｍとした場合に幅方向９．５ｍｍの位置および幅方向１２．５ｍｍの位置において切れ目やミシン目により分割可能な剥離紙が設けられているため、塗装やクロス張り仕上げの下地材として使用されている壁材Ｍ（図１４、図１５）において、前記壁材同士の接合箇所である接合線Ｓが前記壁装用コーナー材の目視部を通して確認することが可能であり、前記接合線Ｓを基準として前記接合線Ｓと前記剥離紙の端部を合わせることによって、壁装用コーナー材を正確に位置決めすることが可能となる。
さらに本考案によれば、壁の角部の塗装やクロスが接触や衝突等によって剥がれた場合でも、罫線が存在しないため表面に露出することがなく、角部の美観性を保つことが可能となる。
【図面の簡単な説明】
【００１４】
【図１】本考案の第１の実施形態の壁装用コーナー材１０を示す斜視図である。
【図２】上記実施形態の壁装用コーナー材１０を示す正面図である。
【図３】上記実施形態の壁装用コーナー材１０を示す背面図である。
【図４】上記実施形態の壁装用コーナー材１０のＡ−Ａ断面図である。
【図５】上記実施形態の壁装用コーナー材１０のＢ拡大図である。
【図６】上記実施形態の壁装用コーナー材１０を壁材の角部Ｐ１に取り付け途中の断面図である。
【図７】上記実施形態の壁装用コーナー材１０を壁材の角部Ｐ１に取り付けた後の断面図である。
【図８】本考案の第２の実施形態の壁装用コーナー材２０を示す背面図である。
【図９】上記実施形態の壁装用コーナー材２０のＤ−Ｄ断面図である。
【図１０】上記実施形態の壁装用コーナー材２０を壁材の接合線Ｓ１に取り付け途中の断面図である。
【図１１】本考案の第３の実施形態の壁装用コーナー材３０を示す背面図である。
【図１２】上記実施形態の壁装用コーナー材３０のＦ−Ｆ断面図である。
【図１３】上記実施形態の壁装用コーナー材３０のＥ拡大図である。
【図１４】壁材Ｍの角部の側面図である。
【図１５】壁材Ｍの角部の側面図である。
【図１６】本考案の第１の実施形態の壁装用コーナー材１０の定規部のその他の例である。
【考案を実施するための形態】
【００１５】
以下、本考案を実施するための一形態について図面を引用しながら説明する。
【００１６】
（第１の実施の形態）
図１は、本考案の第１の実施形態の壁装用コーナー材１０を示す斜視図であり、図２は、上記実施形態の壁装用コーナー材１０を示す正面図である。図３は、上記実施形態の壁装用コーナー材１０を示す背面図であり、図４は、上記実施形態の壁装用コーナー材１０のＡ−Ａ断面図である。図５上記実施形態の壁装用コーナー材１０のＢ拡大図である。
【００１７】
本実施の形態の壁装用コーナー材１０は、クロスなどの壁装材を壁面に貼り付けて仕上げるクロス仕上げ工事、左官仕上げ工事またはペンキ工事において、壁の角部を綺麗に仕上げる目的で使用されるコーナー材において、壁の角部に正確に位置決めして貼り付け可能な部材であり、壁の縁面Ｑ１に添設される一対の取付部１１,１１と、壁の角部Ｐ１に取り付けられる定規部１２と、前記壁装用コーナー材１０の背面側（壁の角部への取付面）に設けられた接着剤層１６と、前記接着剤層１６に着脱自在に設けられた第１の剥離紙１７ａと第２の剥離紙１７ｂを備える。前記壁装用コーナー材１０はロール状に捲回でき、所定の長さで引き出して適宜切断し、使用することができる（図１）。
【００１８】
前記一対の取付部１１,１１は、前記壁の縁面Ｑ１に取り付けるための長尺の形状の部材であり、前記定規部１２の両端にそれぞれ設けられ、一対の中心取付部１３ａ，１３ａと、壁の縁面Ｑ１に添設され前記壁装用コーナー材１０の端部に設けられた一対の端部取付部１３ｂ，１３ｂと、前記中心取付部１３ａと前記端部取付部１３ｂの間に設けられた一対の目視部１４，１４とから構成される。
前記中心取付部１３ａと前記目視部１４と前記端部取付部１３ｂは、前記壁装用コーナー材１０の中心部（前記定規部１２の端部）から前記中心取付部１３ａ、前記目視部１４、前記端部取付部１３ｂの順に取り付けられ、前記中心取付部１３ａ、前記目視部１４、前記端部取付部１３ｂの接着箇所は段差のないなだらかな連続した形状となる。
前記目視部１４は、前記一対の取付部１１,１１の両方に取り付けられていてもよいし、一方のみに取り付けられていてもよい。前記目視部１４が前記一対の取付部１１,１１の一方のみに取り付けられている場合は、前記目視部１４が取り付けられていない他方の前記目視部１４の領域は、前記目視部１４がない領域分を前記端部取付部１３ｂと同じ素材で形成し、前記一対の取付部１１,１１の形状を前記定規部１２の中心位置Ｃ（図２）を基準として線対称の形状とする。
【００１９】
前記中心取付部１３ａは、一端は前記定規部１２に、他端は前記目視部１４に取り付けられ、前記定規部１２から前記目視部１４に向かってその厚みが徐々に薄くなるように形成されている。
前記端部取付部１３ｂは、一端は前記目視部１４に取り付けられ、前記目視部１４から端部に向かってその厚みが徐々に薄くなるように形成されている。
前記一対の取付部１１，１１には、塗り壁材やパテが入り込むための複数の円形状の貫通穴３ａの列が形成され、前記貫通穴３ａは前記取付部１１の長手方向に沿って間隔をもって複数形成される。本実施の形態の貫通穴３ａは、直径約４ｍｍで、前記貫通穴３ａの中心から隣の貫通穴３ａの中心までの間隔は約７ｍｍで、列数が１列もしくは２列で、列と列との間隔は約６ｍｍ〜８ｍｍである。列数は３列以上でもよい。また前記貫通穴３ａは、楕円形、正方形、長方形、多角形等種々選択可能である。前記貫通穴３ａのサイズや間隔、列数は前記取付部１１の強度や、壁の縁面Ｑ１への固定度合いを考慮し、適宜選択可能である。前記貫通穴３ａはパンチング等で形成する。
前記中心取付部１３ａは、幅１３ａｈが約６．５ｍｍ、前記端部取付部１３ｂは、幅１３ｂｈが約９ｍｍである。厚みが大き過ぎると他の部分に比べて仕上げ表面が盛りあがり、逆に薄すぎると強度が不十分となる。厚みが徐々に薄くなることによって、前記端部取付部１３ｂの他端部と縁面Ｑ１との間に大きな段差が生じず、仕上げ後の表面に筋目等が生じない。
【００２０】
前記一対の目視部１４，１４は、前記壁装用コーナー材を前記壁材の角部に取り付けた場合に壁材の接合箇所を覆う位置に設けられ、塗装やクロス張り仕上げの下地材として使用されている壁材Ｍ同士の接合箇所である接合線Ｓ，Ｓ１（図１０、図１４、図１５）を前記壁装用コーナー材１０の上から目視するためのものであり、透明性を有する部材で形成される。
前記一対の目視部１４は、一端は前記中心取付部１３ａに、他端は前記端部取付部１３ｂに取り付けられ、前記中心取付部１３ａから前記端部取付部１３ｂに向かってその厚みが徐々に薄くなるように形成されている。
前記目視部１４は透明性を有する素材で形成され、前記目視部１４の材質はＡＳ樹脂などのスチレン系の透明樹脂、ＰＥＴ、ポリ塩化ビニル、アクリル樹脂、ポリカーボネート樹脂等の透明性のある材質が選択できる。前記目視部１４は、無色透明、有色透明または半透明でもよく、前記目視部１４の上から前記壁材Ｍ同士の接合箇所である接合線Ｓ，Ｓ１を目視できればよい。前記目視部１４は前記定規部１２よりも硬質な素材で形成されている。
前記目視部１４は、幅１４ｈが約４ｍｍである。
前記目視部１４は、前記壁装用コーナー材１０の中心位置Ｃ（図２）を０ｍｍとした場合に幅方向約９ｍｍの位置から約１３ｍｍの位置の間に幅約４ｍｍで設けられている。このように目視部１４の位置を設定すると、壁材の幅が９．５ｍｍの場合や１２．５ｍｍの場合（図４）、前記壁装用コーナー材１０を壁材の角部Ｐ１に取り付けると壁材の接合線Ｓ，Ｓ１が前記目視部１４の端部周辺に目視部１４を通して目視することが可能となり、前記目視部１４から前記接合線Ｓ，Ｓ１を確認することが可能となる。
【００２１】
前記中心取付部１３ａ、前記端部取付部１３ｂおよび前記目視部１４の幅や厚みは前記壁装用コーナー材１０の強度や、縁面Ｑ１への固定度合い等を考慮し、適宜選択可能である。
【００２２】
前記定規部１２は、壁の角部Ｐ１の頂点部分に取り付けられ、塗り壁材もしくはクロスを取り付けた際になだらかな湾曲したＲ形状を形成するために円弧形状をなすものであり、正面（塗り壁材、パテもしくはクロスを取り付ける側の面）と背面（壁側に取り付ける面）の断面はともに中心位置が壁材から上方に突出したなだらかな円弧形状をなし、断面形状は中心位置Ｃ（図２）を基準として線対称の形状をなす。
前記定規部１２は、端部がそれぞれ前記中心取付部１３ａ，１３ａに取り付けられ、前記壁装用コーナー材１０を折り曲げ易いように、前記定規部１２の端部の厚さよりも前記定規部１２の中心位置の厚さのほうが薄く形成され、前記定規部１２の中心位置から前記中心取付部１３ａ，１３ａに向かってその厚みが徐々に厚くなるように形成されている。
前記定規部１２は透明性を有する素材で形成され、前記定規部１２の材質はＡＳ樹脂などのスチレン系の透明樹脂、ＰＥＴ、ポリ塩化ビニル、アクリル樹脂、ポリカーボネート樹脂等の透明性のある材質が選択できる。前記定規部１２は、前記目視部１４よりも軟質な材質で形成される。前記定規部１２は、無色透明、有色透明または半透明でもよく、前記定規部１２の上から前記壁材Ｍの角部と剥離紙の端部を目視できればよい。
このように前記定規部１２を前記目視部１４よりも軟質な材質とすることによって、前記定規部１２の中心位置Ｃを中心として簡単に折り曲げることが可能となり、仕上げ工事において前記壁装用コーナー材１０を扱いやすくなる。前記定規部１２は、幅１２ｈが約５．０ｍｍである。
【００２３】
前記壁装用コーナー材１０は、正面（塗り壁材、パテもしくはクロスを取り付ける側の面）に凹凸が形成されていてもよい。凹凸は連続した凹凸形状、連続した三角形状または波形等でも良い。正面が凹凸になっていることにより、塗り壁材、パテまたはクロスが食いつき易いという効果がある。
【００２４】
前記壁装用コーナー材１０の背面側（壁の角部への取付面）に設けられた接着剤層１６と、前記接着剤層１６に着脱自在に設けられた第１の剥離紙１７ａと第２の剥離紙１７ｂを備える。
前記接着剤層１６は、前記壁装用コーナー材１０を前記壁材の角部に取り付けるための接着剤であり、両面粘着テープや酢酸ビニル系接着剤等の軟弱系の接着剤でかつ透明性を有するものが使用可能で、前記壁装用コーナー材１０の背面（壁の角部への取付面）の前記貫通穴３ａを除く全面もしくは前記壁装用コーナー材１０の端部および前記貫通穴３ａを除く箇所（図３）に設けられる。前記貫通穴３ａの除く箇所に接着剤層１６を設けることによって、前記壁装用コーナー材１０を取り付けて塗装を行った際に、塗り壁材が前記壁装用コーナー材１０に入りこみ、塗り壁材の剥離や欠け落ちを防止することが可能となる。
また前記接着剤層１６は、無色透明のものや有色透明のもの、また半透明のものが使用できるが、前記定規部１２や前記目視部１４を通して前記第１の剥離紙１７ａと前記第２の剥離紙１７ｂを視認できる素材とする。
前記第１の剥離紙１７ａと前記第２の剥離紙１７ｂは、前記接着剤層１６を保護する目的に加えて、前記第１の剥離紙１７ａと前記第２の剥離紙１７ｂが分割された箇所（分割線１８）において、前記第１の剥離紙１７ａもしくは前記第２の剥離紙１７ｂの端部が前記壁材の角部Ｐ１に位置合わせするための目印として使用される。
前記第１の剥離紙１７ａと前記第２の剥離紙１７ｂは、前記第１の剥離紙１７ａと前記第２の剥離紙１７ｂを合わせて前記接着剤層１６の背面（壁の角部への取付面）全面に着脱自在に設けられ、分割線１８を基準に紙面上（図３）、上部が前記第１の剥離紙１７ａ、下部が前記第２の剥離紙１７ｂとなる。前記第１の剥離紙１７ａと前記第２の剥離紙１７ｂは、紙またはフィルムで形成されており、前記第１の剥離紙１７ａと前記第２の剥離紙１７ｂの前記分割線１８側の端部が、前記定規部１２を通して視認できればよい。
前記分割線１８は、剥離紙に設けられる直線状や点線状の切り目であり、前記分割線１８で前記第１の剥離紙１７ａと前記第２の剥離紙１７ｂは分割されている。
【００２５】
図６は、上記実施形態の壁装用コーナー材１０を壁材の角部Ｐ１に取り付け途中の断面図であり、図７は、上記実施形態の壁装用コーナー材１０を壁材の角部Ｐ１に取り付けた後の断面図である。
前記壁装用コーナー材１０を壁に取り付ける場合、前記第１の剥離紙１７ａを前記接着剤層１６から剥離する。その後、前記定規部１２を通して前記第２の剥離紙１７ｂの分割線１８側の端部と前記壁材の角部Ｐ１を合わせるように前記壁材の縁面Ｑ１および角部Ｐ１に前記壁装用コーナー材１０の一方の取付部１１を装着する（図６）。そして、前記第２の剥離紙１７ｂを前記接着剤層１６から剥離し、前記定規部１２の中心位置Ｃを中心として前記壁装用コーナー材１０を壁に沿うように折り曲げて、他方の取付部１１を前記壁材の縁面Ｑ１に接着する（図７）。
【００２６】
このように本実施の形態の壁装用コーナー材１０を使用すると、前記定規部１２を通して前記第２の剥離紙１７ｂの端部と前記壁材の角部Ｐ１を合わせて位置合わせを行うことが可能であるため、簡単かつ正確に取り付けることが可能となる。
また本実施の形態の壁装用コーナー材１０を使用すると、前記第２の剥離紙１７ｂの分割線側の端部を位置合わせの目印として前記壁装用コーナー材１０の位置合わせを行うことができるため、壁の角部周辺に位置決めするための罫線等の印を設ける必要がなく、壁の角部の塗装やクロスが接触や衝突等によって剥がれた場合でも印が表面に露出することがない。
【００２７】
（その他の例）
図１６は、本考案の第１の実施形態の壁装用コーナー材１０の定規部のその他の例である。
本考案の壁装用コーナー材１０の前記定規部１２は、正面（塗り壁材、パテもしくはクロスを取り付ける側の面）と背面（壁側に取り付ける面）の断面はともに中心位置が壁材Ｍから上方に突出したなだらかな円弧形状をなしていたが、前記定規部４２を正面（塗り壁材、パテもしくはクロスを取り付ける側の面）の断面は中心位置が壁材Ｍから上方に突出したなだらかな円弧形状をなし、背面（壁側に取り付ける面）の断面は直線形状としてもよい。
【００２８】
（第２の実施の形態）
図８は、本考案の第２の実施形態の壁装用コーナー材２０を示す背面図であり、図９は、上記実施形態の壁装用コーナー材２０のＤ−Ｄ断面図である。
第１の実施形態の壁装用コーナー材１０は、前記第２の剥離紙１７ｂの端部を利用して、前記第２の剥離紙１７ｂと前記壁材の角部Ｐ１を合わせることにより位置合わせを行うものであったが、本考案の第２の実施形態の壁装用コーナー材２０は、壁材Ｍ（図１４、図１５）同士の接合箇所である接合線Ｓ，Ｓ１を利用して、前記接合線と剥離紙の端部を合わせることによって壁装用コーナー材を位置決めするものである。その他の構成は、第１の実施の形態と同様であり、同一部分に同一符号を付して重複する説明を省略する。
【００２９】
本考案の壁装用コーナー材２０は、背面側（壁の角部への取付面）に設けられた前記接着剤層１６に着脱自在に設けられた第１の剥離紙２７ａ、第２の剥離紙２７ｃ、第３の剥離紙２７ｅを備える。
前記第１の剥離紙２７ａ、前記第２の剥離紙２７ｃ、前記第３の剥離紙２７ｅは、前記接着剤層１６を保護する目的に加えて、剥離紙同士が分割された箇所（分割線２８ａ，２８ｃ）において剥離紙の端部が前記壁材同士の接合線Ｓ，Ｓ１に位置合わせするための目印として使用される。
前記第１の剥離紙２７ａと前記第２の剥離紙２７ｃと前記第３の剥離紙２７ｅを合わせて前記接着剤層１６の背面（壁の角部への取付面）全面に着脱自在に設けられる。
前記第１の剥離紙２７ａと前記第２の剥離紙２７ｃと前記第３の剥離紙２７ｅは、紙またはフィルムで形成されており、前記第１の剥離紙２７ａ，前記第２の剥離紙２７ｃ，前記第３の剥離紙２７ｅの分割線２８ａ，２８ｃ側の端部が、前記目視部１４を通して視認できればよい。
前記分割線２８ａ，２８ｃは、剥離紙に設けられる直線状や点線状の切り目であり、前記分割線２８ａは前記壁装用コーナー材２０の中心位置Ｃ（図８）を基準として紙面上（図８）上下にそれぞれ中心位置Ｃから１２．５ｍｍの位置に設けられ、前記分割線２８ｃは前記壁装用コーナー材２０の中心位置Ｃ（図８）を基準として紙面上（図８）上下にそれぞれ中心位置Ｃから幅方向９．５ｍｍの位置に設けられる。これは、壁材Ｍの厚みが通常９．５ｍｍもしくは１２．５ｍｍであるためであり、前記一対の目視部１４，１４を通して前記分割線２８ａ，２８ｃは目視可能である。
前記分割線２８ａは、前記第１の剥離紙２７ａと前記第２の剥離紙２７ｃを分割する分割線であり、紙面上（図８）、前記分割線２８ａを挟んで前記第１の剥離紙２７ａが上部に、前記第２の剥離紙２７ｃが下部に配置される。
前記分割線２８ｃは、前記第２の剥離紙２７ｃと前記第３の剥離紙２７ｅを分割する分割線であり、紙面上（図８）、前記分割線２８ｃを挟んで前記第２の剥離紙２７ｃが上部に、前記第３の剥離紙２７ｅが下部に配置される。
【００３０】
図１０は、上記実施形態の壁装用コーナー材２０を壁材の接合線Ｓ１に取り付け途中の断面図である。
厚みが１２．５ｍｍである壁材Ｍに前記壁装用コーナー材２０を取り付ける場合（図１０）、前記第１の剥離紙２７ａを前記接着剤層１６から剥離する。その後、前記目視部１４を通して前記第３の剥離紙２７ｃの分割線２８ａ側の端部と前記壁材の接合線Ｓ１を合わせるように前記壁材の縁面Ｑ１に前記壁装用コーナー材２０の一方の取付部１１を装着する。そして、前記第２の剥離紙２７ｃ，前記第３の剥離紙２７ｅを前記接着剤層１６から剥離し、前記定規部１２の中心位置Ｃを中心として前記壁装用コーナー材２０を壁に沿うように折り曲げて、他方の取付部１１を前記壁材の縁面Ｑ１に接着する。
厚みが９．５ｍｍである壁材Ｍに前記壁装用コーナー材２０を取り付ける場合は、最初に前記第３の剥離紙２７ｅを前記接着剤層１６から剥離する。その後、前記目視部１４を通して前記第２の剥離紙２７ｃの分割線２８ｃ側の端部と前記壁材の接合線Ｓ１を合わせるように前記壁材の縁面Ｑ１に前記壁装用コーナー材２０の一方の取付部１１を装着する。そして、前記第１の剥離紙２７ａ，前記第２の剥離紙２７ｃを前記接着剤層１６から剥離し、前記定規部１２の中心位置Ｃを中心として前記壁装用コーナー材２０を壁に沿うように折り曲げて、他方の取付部１１を前記壁材の縁面Ｑ１に接着する。
【００３１】
このように本実施の形態の壁装用コーナー材２０を使用すると、前記目視部１４を通して前記第２の剥離紙２７ｃの端部と前記壁材同士の接合線Ｓ，Ｓ１を合わせて位置合わせを行うことが可能であるため、簡単かつ正確に取り付けることが可能となる。
また本実施の形態の壁装用コーナー材２０を使用すると、剥離紙の端部を位置合わせの目印として前記壁装用コーナー材２０の位置合わせを行うことができるため、壁の角部周辺に位置決めするための罫線等の印を設ける必要がなく、壁の角部の塗装やクロスが接触や衝突等によって剥がれた場合でも印が表面に露出することがない。
【００３２】
（第３の実施の形態）
図１１は、本考案の第３の実施形態の壁装用コーナー材３０を示す背面図であり、図１２は、上記実施形態の壁装用コーナー材３０のＦ−Ｆ断面図である。図１３は、上記実施形態の壁装用コーナー材３０のＥ拡大図である。
第１の実施形態の壁装用コーナー材１０は中心位置Ｃにある分割線１８（切り目）により前記第１の剥離紙１７ａと前記第２の剥離紙１７ｂに分割されていたが、本考案の第３の実施の形態の壁装用コーナー材３０は、接着剤層１６から剥離紙をより取り外し易くするために、第１の剥離紙３７ａと第２の剥離紙３７ｂの端部を中心位置Ｃ周辺で重ね合わせたものである。その他の構成は、第１の実施の形態と同様であり、同一部分に同一符号を付して重複する説明を省略する。
【００３３】
本考案の壁装用コーナー材３０は、背面側（壁の角部への取付面）に設けられた前記接着剤層１６に着脱自在に設けられた第１の剥離紙３７ａ、第２の剥離紙３７ｂを備える。
前記第１の剥離紙３７ａ、前記第２の剥離紙３７ｂは、前記接着剤層１６を保護する目的に加えて、前記第２の剥離紙３７ｂの中心位置Ｃ側の端部を前記壁材の角部Ｐ１に位置合わせするための目印として使用される。
前記第１の剥離紙３７ａと前記第２の剥離紙３７ｂは前記接着剤層１６の背面（壁の角部への取付面）に着脱自在に設けられる。
前記第１の剥離紙３７ａと前記第２の剥離紙３７ｂは、紙またはフィルムで形成されており、前記第２の剥離紙３７ｂの一端部の縁は中心位置Ｃと一致しており、前記第１の剥離紙３７ａの端部は前記第２の剥離紙３７ｂの一端部と重ね合わされた状態で設けられている。このように前記第１の剥離紙３７ａの端部が前記接着剤層１６から一部剥離されているため、前記第１の剥離紙３７ａの剥離された端部を作業者がつかみ簡単に前記接着剤層１６から前記第１の剥離紙３７ａを剥離することが可能となる。
前記第１の剥離紙３７ａと前記第２の剥離紙３７ｂは、紙またはフィルムで形成されており、前記第２の剥離紙３７ｂの中心位置Ｃにある端部の縁が前記定規部１２を通して視認できればよい。
【００３４】
前記壁装用コーナー材３０を壁に取り付ける場合、作業者が前記第１の剥離紙３７ａの重ね合わされた端部をつかみ前記接着剤層１６から剥離する。その後、前記定規部１２を通して前記第２の剥離紙３７ｂの中心位置Ｃにある一端部と前記壁材の角部Ｐ１を合わせるように前記壁材の縁面Ｑ１および角部Ｐ１に前記壁装用コーナー材３０の一方の取付部１１を装着する（図６）。そして、前記第２の剥離紙３７ｂを前記接着剤層１６から剥離し、前記定規部１２の中心位置Ｃを中心として前記壁装用コーナー材３０を壁に沿うように折り曲げて、他方の取付部１１を前記壁材の縁面Ｑ１に接着する（図７）。
【００３５】
このように本実施の形態の壁装用コーナー材３０を使用すると、前記定規部１２を通して前記第２の剥離紙３７ｂの端部と前記壁材の角部Ｐ１を合わせて位置合わせを行うことが可能であるため、簡単かつ正確に取り付けることが可能となる。
また本実施の形態の壁装用コーナー材３０を使用すると、前記第２の剥離紙３７ｂの端部を位置合わせの目印として位置合わせを行うことができるため、壁の角部Ｐ１周辺に位置決めするための罫線等の印を設ける必要がなく、壁の角部の塗装やクロスが接触や衝突等によって剥がれた場合でも印が表面に露出することがない。
さらに、前記第１の剥離紙３７ａの端部が前記接着剤層１６から一部剥離されているため、前記第１の剥離紙３７ａの剥離された端部を作業者がつかみ、簡単に前記接着剤層１６から前記第１の剥離紙３７ａを剥離することが可能となる。
【符号の説明】
【００３６】
１０，２０，３０                      壁装用コーナー材、
３ａ                                  貫通穴、
１１                                  取付部、
１２                                  定規部、
１３ａ                                中心取付部、
１３ｂ                                端部取付部、
１４                                  目視部、
１６                                  接着剤層、
１７ａ，２７ａ，３７ａ                第１の剥離紙、
１７ｂ，２７ｃ，３７ｂ                第２の剥離紙、
３７ｅ                                第３の剥離紙、
１８，２８ａ，２８ｃ                  分割線、
Ｃ                                    中心位置、
Ｍ                                    壁材、
Ｑ１                                  壁の縁面、
Ｐ１                                  壁の角部、
Ｓ，Ｓ１                              接合線
【図１】
0003202989.tif 000003
【図２】
0003202989.tif 000004
【図３】
0003202989.tif 000005
【図４】
0003202989.tif 000006
【図５】
0003202989.tif 000007
【図６】
0003202989.tif 000008
【図７】
0003202989.tif 000009
【図８】
0003202989.tif 000010
【図９】
0003202989.tif 000011
【図１０】
0003202989.tif 000012
【図１１】
0003202989.tif 000013
【図１２】
0003202989.tif 000014
【図１３】
0003202989.tif 000015
【図１４】
0003202989.tif 000016
【図１５】
0003202989.tif 000017
【図１６】
0003202989.tif 000018
【手続補正書】
【提出日】平成28年1月15日(2016.1.15)
【手続補正１】
【補正対象書類名】実用新案登録請求の範囲
【補正対象項目名】全文
【補正方法】変更
【補正の内容】
【実用新案登録請求の範囲】
【請求項１】
壁材の縁面に添設される一対の取付部と、前記壁材の角部に取り付けられる定規部を備えた壁装用コーナー材において、前記壁装用コーナー材の取付面に備えられた接着剤層と、前記接着剤層に着脱自在に設けられた剥離紙を備えたことを特徴とする壁装用コーナー材。
【請求項２】
前記剥離紙は、前記壁装用コーナー材の中心位置において切れ目やミシン目により分割可能な第１の剥離紙と第２の剥離紙が設けられていることを特徴とする請求項１記載の壁装用コーナー材。
【請求項３】
前記剥離紙は、前記壁装用コーナー材の中心位置周辺で重ね合わされた第１の剥離紙と第２の剥離紙が設けられていることを特徴とする請求項１記載の壁装用コーナー材。
【請求項４】
前記定規部は透明性を有する材質で形成され、前記壁装用コーナー材は、前記第１の剥離紙を前記接着剤層から剥離させ、前記第２の剥離紙の端部と前記壁材の角部とを合わせることにより、前記定規部を介して前記第２の剥離紙の端部と前記壁材の角部とが視認可能であることを特徴とする請求項２または３記載の壁装用コーナー材。
【請求項５】
前記定規部は、前記壁材の角部に沿って折り曲げ易くするために軟質の透明な材質であることを特徴とする請求項１から４のいずれか一項記載の壁装用コーナー材。
【請求項６】
前記取付部には透明性を有する目視部が設けられ、前記目視部を介して前記壁材の接合箇所を視認可能であることを特徴とする請求項１から５のいずれか一項記載の壁装用コーナー材。